【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、前記被検体を配置するための空間を介して前記Ｘ線源と対向配置され、前記被検体を透過した透過Ｘ線を検出して電気信号に変換するＸ線検出部と、該Ｘ線検出部により検出された透過Ｘ線を用いてＸ線画像を生成する画像処理部と、前記Ｘ線源、前記Ｘ線検出部、及び前記空間を囲いＸ線遮蔽材を有して構成される外容器と、を備えること、
を特徴とするＸ線画像診断装置。
【請求項２】
前記Ｘ線源は、二次元アレイ状に配置した複数の微小Ｘ線源を有して構成され、前記Ｘ線検出部は、二次元アレイ状に配置した複数のＸ線検出素子を有して構成されていること、
を特徴とする請求項１に記載のＸ線画像診断装置。
【請求項３】
前記複数の微小Ｘ線源は、それぞれ内部が真空状態となっている真空容器と、該真空容器内に配置された陽極と、該陽極に対向するように配置された陰極と、該陰極に付設された電子放出源と、該電子放出源近傍に配置されたゲート電極と、を有し、
前記陽極と前記陰極間に所定の電圧を印加した状態で、前記ゲート電極に所定の電圧を印加することで、前記複数の微小Ｘ線源から前記被検体に照射するＸ線を発生させること、
を特徴とする請求項２に記載のＸ線画像診断装置。
【請求項４】
前記複数の微小Ｘ線源の陽極、陰極、及びゲート電極に印加する電圧は、前記複数の微小Ｘ線源ごと、又は、所定の数の微小Ｘ線源ごとに制御するよう構成させていること、
を特徴とする請求項３に記載のＸ線画像診断装置。
【請求項５】
前記Ｘ線遮蔽材の少なくとも一部は有鉛ガラスであり、該有鉛ガラスは前記外容器の上面及び／又は側面に配置されること、
を特徴とする請求項１乃至４の何れか一項に記載のＸ線画像診断装置。
【請求項６】
前記外容器の前面部には前記被検体を前記空間の中に配置するための開口部が備えられていること、
を特徴とする請求項１乃至５の何れか一項に記載のＸ線画像診断装置。
【請求項７】
前記空間内に前記被検体を配置するための天板を有し、前記天板は前記開口部を介して前記空間内から前記外容器の外側へスライド移動するよう構成されていること、
を特徴とする請求項６に記載のＸ線画像診断装置。
【請求項８】
前記Ｘ線源及び／又は前記Ｘ線検出部は、二次元平面上を移動するよう構成されていること、
を特徴とする請求項１乃至７の何れか一項に記載のＸ線画像診断装置。
【請求項９】
前記Ｘ線源から前記被検体に対しＸ線を照射する領域を表示するＸ線照射領域表示部と、前記Ｘ線照射領域表示部を用いて指定されたＸ線照射領域の位置に基づいて、Ｘ線照射領域を設定するＸ線照射領域指定部と、を更に有し、
前記Ｘ線源は、前記Ｘ線照射領域指定部によって設定されたＸ線照射領域に対応する位置に移動するよう構成されていること、
を特徴とする請求項８に記載のＸ線画像診断装置。
【請求項１０】
前記Ｘ線照射領域表示部は可視光を透過するタッチセンサを有して構成され、前記タッチセンサと、前記タッチセンサにより移動可能な前記Ｘ線照射領域表示部に表示される照射領域マーカーを用いて前記Ｘ線照射領域を指定すること、
を特徴とする請求項９に記載のＸ線画像診断装置。
【請求項１１】
前記Ｘ線照射領域表示部は、Ｘ線を照射した領域のＸ線量に対応する表示を当該照射した領域対応する位置に表示すること、
を特徴とする請求項１０に記載のＸ線画像診断装置。
【請求項１２】
前記表示はＸ線量に応じて色及び／又は点滅速度が変化する表示であること、
を特徴とする請求項１１に記載のＸ線画像診断装置。
【手続補正２】
【補正対象書類名】明細書
【補正対象項目名】００１３
【補正方法】変更
【補正の内容】
【００１３】
図1に示すように、本発明のX線画像診断装置1は、二次元アレイ状に配置した複数の微小X線源を有し被検体101にX線を照射するX線源102と、X線源102に対向配置され、二次元アレイ状に配置されたX線を検出する複数のX線検出素子を有して構成され、X線源102から照射され被検体101を透過した透過X線を検出して電気信号に変換するX線検出部103と、X線源102とX線検出部103の間であって被検体101を配置するための空間104と、X線源102、X線検出部103、及び空間104を囲い、X線遮蔽材105aを有し形成される外容器105と、外容器105の上面に付設されX線源102から被検体101に対しX線を照射する領域を表示するX線照射領域表示部112aと、X線照射領域表示部112aによって表示されたX線照射領域の位置に基づいて、X線照射領域を設定するX線照射領域指定部112と、X線源102に電力供給を行なう高電圧発生部106と、X線検出部103により検出された透過X線を用いてX線画像を生成する画像処理部107と、画像処理部107から出力されたX線画像を記憶する画像記憶部108と、画像記憶部108に記憶されたX線画像及び/又は画像処理部107で生成されたX線画像を表示する表示部109と、これら各構成要素を制御する制御部110と、制御部110に対して指令を行なう操作部111と、を備えている。
【手続補正３】
【補正対象書類名】明細書
【補正対象項目名】００２８
【補正方法】変更
【補正の内容】
【００２８】
図7(b)では被検体101の腹部の位置に、照射領域マーカー701およびX線源102が位置していることを示している。ここで、操作者が照射領域マーカー701を指で指定し、下方向にスライドさせると、図7(c)に示すように、照射領域マーカー701が被検体101の足部に移動し、これに伴いX線源102も被検体101の足部に移動する。さらに、照射領域マーカー701内で2点をタップすると、X線照射領域指定部112は、前記2点を対角線とする詳細照射領域702を設定する。制御部110は、X線照射領域指定部112で設定されたX線照射領域に基づいて、X線源102は複数の微小X線源の内、この設定された詳細照射領域702に対応する位置にあたる微小X線源を用いて被検体101にX線を照射するよう制御する。図7(d)では図面向かって左側の足にX線が照射されるようにX線照射領域が設定されている。
【手続補正４】
【補正対象書類名】明細書
【補正対象項目名】００２９
【補正方法】変更
【補正の内容】
【００２９】
次に本発明のX線画像診断装置1を用いて被検体101のX線画像を取得するまでの動作フローについて説明する。
【手続補正５】
【補正対象書類名】明細書
【補正対象項目名】００３１
【補正方法】変更
【補正の内容】
【００３１】
以上、本発明のX線画像診断装置1によれば、X線源102と、X線源102に対向配置されたX線検出部103と、X線源102とX線検出部103の間であって被検体101を配置するための空間104が、X線遮蔽材105aを有する外容器105によって囲むよう構成されているため、操作者はX線照射中の被検体101の近傍にいても無効被曝をする虞が無く、さらに身体的な負担を強いられるとなく操作を行うことができる。特に、被検体101の近傍に長時間立ち、カテーテル操作を行なう際には有効である。
【手続補正６】
【補正対象書類名】明細書
【補正対象項目名】００４０
【補正方法】変更
【補正の内容】
【００４０】
また、上記説明ではX線照射領域表示部112aにはX線照射領域のみ表示する例について説明したが、照射した領域のX線量を、カラー表示などを用いて表示してもよい。例えば、図10(a)に示すように、図面向かって左側の足に詳細照射領域702を設定しX線を照射した後、照射領域マーカー701を図10(b)に示すように上方へ移動した場合、先程まで照射していた領域に対応する位置にX線量表示1001を残すことで、カテーテルなど、長時間にわたり被検体101にX線を照射する場合などに、どの位置にどれだけX線が照射されていたかを把握することができる。